(57)【要約】広告システムは、車両または固定構造のような構造（５５）上に広告パネル（２１、１２１）を解除可能に係合させるための柔軟なフレームを備える。フレームは、フレーム部材（１０）と、相互係合可能な第１および第２固定具（２０、５０）を備えた固定手段とを備える。第１固定具（２０）はフレームの柔軟な部分上に設けられる。第２固定具（５０）は構造（５５）に固定可能である。フレームの柔軟性と、第１固定具と第２固定具の相互係合強度とは、剥離動作によってフレームと第１固定具を第２固定具から分離できるものである。広告パネル（１２１）は、広告シート（１２３）と少なくとも１つの縁細片（１００）を含んでよい。縁細片は、シートに結合したフランジ（１０３）と、フレーム部材と係合する突起（１０４）とを有する。【選択図】  図３
2008518259.tif 000002
【特許請求の範囲】
【請求項１】
広告システムであって、
広告パネルを構造上に取り付けるためのフレームを備え、前記フレームは少なくとも１つのフレーム部材を備えており、
第１固定具と第２固定具を備えた相互係合可能な固定手段をさらに備え、前記第２固定具は前記構造に固定可能であり、
前記第１固定具は前記フレームの柔軟な部分上に設けられ、前記フレームの柔軟性と、前記第１固定具と第２固定具の相互係合強度とは、前記フレームと前記第１固定具を剥離動作によって前記第２固定具から分離できるものであり、
前記フレームは広告パネルに解除可能に係合するよう適合されている、広告システム。
【請求項２】
前記少なくとも１つのフレーム部材は、広告パネルの縁を受容するよう適合されたパネル受容部分を備える、請求項１に記載の広告システム。
【請求項３】
前記フレームの柔軟な部分とパネル受容部分は異なる材料を含む、請求項２に記載の広告システム。
【請求項４】
前記パネル受容部分は前記フレーム部材の柔軟な部分よりも硬質である、請求項２または３に記載の広告システム。
【請求項５】
前記パネル受容部分は、広告パネル縁上の突起を受容するための凹部を備える、請求項２から４までのいずれかに記載の広告システム。
【請求項６】
前記相互係合可能な固定手段は機械的固定具を備える、前出の請求項のいずれかに記載の広告システム。
【請求項７】
前記機械的固定具は、前記第１固定具と前記第２固定具を共に押圧することで係合し、これらを引き離すことで係合解除する、請求項６に記載の広告システム。
【請求項８】
前記第１固定具と前記第２固定具はマッシュルーム型の相互連結かえしを有する、請求項６または７に記載の広告システム。
【請求項９】
広告パネルをさらに備える、前出の請求項のいずれかに記載の広告システム。
【請求項１０】
前記広告パネルは柔軟である、請求項９に記載の広告システム。
【請求項１１】
前記広告パネルの少なくとも一部は半透明である、請求項９または１０に記載の広告システム。
【請求項１２】
前記広告パネルの各縁につき１つのフレーム部材が設けられる、請求項９から１１までのいずれかに記載の広告システム。
【請求項１３】
前記広告パネルはＴ字型であり、前記Ｔ字型の各縁につき１つのフレーム部材が設けられる、請求項９から１２までのいずれかに記載の広告システム。
【請求項１４】
前記広告パネルは、
広告シートと縁細片を備え、前記縁細片はフランジとフレーム係合部分を備えており、前記フレーム係合部分は突起を備えており、
前記縁細片の前記フランジは前記広告シートに結合される、請求項９から１３までのいずれかに記載の広告システム。
【請求項１５】
前記縁細片の前記フレーム係合部分と前記フランジとは単体の押し出し成形物として形成される、請求項１４に記載の広告システム。
【請求項１６】
前記フレーム係合部分は、前記縁細片の前記フランジよりも摩擦係数の低い材料を含む、請求項１４または１５に記載の広告システム。
【請求項１７】
前記縁細片の前記フレーム係合部分と前記フランジは２つの異なる材料を含み、前記フレーム係合部分の材料は前記縁細片のフランジの材料よりも摩擦係数が低い、請求項１６に記載の広告システム。
【請求項１８】
前記縁細片は引張手段を含む、請求項１４から１７までのいずれかに記載の広告システム。
【請求項１９】
前記引張手段は、前記フレーム係合部分と前記フランジとの間に弾性部分を備える、請求項１８に記載の広告システム。
【請求項２０】
前記弾性部分は、伸張時に強制的に元の形状に戻る中空シリンダを備える、請求項１９に記載の広告システム。
【請求項２１】
前記引張手段は、前記縁細片の前記フレーム係合部分と前記フランジとの間の距離を短縮する手段を備える、請求項１８に記載の広告システム。
【請求項２２】
前記縁細片の前記フレーム係合部分と前記フランジとの間の距離を短縮する手段は、前記縁細片の前記フレーム係合部分と前記フランジとの間に配置された解除可能な閉鎖細片を備える、請求項２１に記載の広告システム。
【請求項２３】
前記解除可能な閉鎖細片は、内部係合構成部を有する２つの細片部材を備える、請求項２２に記載の広告システム。
【請求項２４】
構造上にフレームを搭載する方法であって、前記フレームは、広告パネルと解除可能に係合するのに適しており、前記方法は、
第１の細長い固定具を前記フレームの柔軟な部分に固定するステップを含み、
第２の細長い固定具を前記構造に固定するステップをさらに含み、前記第２固定具は前記第１固定具と係合可能であり、
前記第１固定具と第２固定具を第１場所にて係合させるために、前記第１場所に圧力を印加し、かつ前記固定具のより大きな割合の部分を連続的に係合させるために、前記圧力を前記固定具の長さに沿って伝播させるステップをさらに含む、方法。
【請求項２５】
前記フレームは前記構造上に解除可能に搭載される、請求項２４に記載の方法。
【請求項２６】
前記フレーム内に広告パネルを設置するステップをさらに含む、請求項２４または２５に記載の方法。
【請求項２７】
前記広告パネルは、広告シートと、前記広告シートの縁に取り付けた突起とを備え、前記フレームは細長い凹部と開放端部とを有する少なくとも１つのフレーム部材を備え、前記方法は、前記フレーム部材を前記広告パネルに取り付けるために、前記突起を前記開放端部から前記凹部内にねじ込むステップを含む、請求項２６に記載の方法。
【請求項２８】
前記フレームは複数のフレーム部材を備え、少なくとも１つのフレーム部材が、前記フレーム部材を前記構造に搭載する前に、前記広告パネルに取り付けられる、請求項２６または２７に記載の方法。
【請求項２９】
前記フレームは複数のフレーム部材を備え、少なくとも１つのフレーム部材が、前記広告パネル上に取り付けられる前に前記構造上に搭載される、請求項２６から２８までのいずれかに記載の方法。
【請求項３０】
前記フレーム部材の少なくとも１つを前記構造上に搭載するステップと、他のフレーム部材を前記広告パネルに取り付けるステップと、前記広告パネルを前記少なくとも１つの搭載されたフレーム部材に取り付けるステップと、この後に前記他のフレーム部材を前記構造上に搭載するステップとを連続して含む、請求項２９に記載の方法。
【請求項３１】
第１フレーム部材を前記広告パネルに取り付ける前に、前記構造上に前記第１フレーム部材のみが搭載される、請求項２９または３０に記載の方法。
【請求項３２】
前記第１フレーム部材を前記構造上に搭載するステップと、
前記広告パネルの１つの縁を前記第１フレーム部材に取り付け、前記広告パネルの前記１つの縁の反対側の縁を第２フレーム部材に取り付けるステップと、
前記第２フレーム部材を前記構造上に搭載するステップとを連続して含む、請求項３１に記載の方法。
【請求項３３】
前記広告パネルの他の縁の各々に、それぞれ対応する別のフレーム部材を取り付けるステップと、その後、前記別のフレーム部材を前記構造上に搭載するステップとをさらに含む、請求項３２に記載の方法。
【請求項３４】
前記第２フレーム部材を前記構造上に搭載する前に、前記広告パネルを引張するステップを含む、請求項３２または３３に記載の方法。
【請求項３５】
前記広告パネルはさらに、前記突起と前記広告シートの縁との間に配置された引張手段を備え、前記方法は、前記広告パネルを前記フレーム部材に取り付けた後に、前記突起と前記広告シートの縁との間の距離を短縮するべく前記引張手段を作動させることで前記広告シートを引張するステップを含む、請求項２７または請求項２８から３３までのいずれかに記載の方法。
【請求項３６】
前記引張手段は、内部係合構成部を有する解除可能な閉鎖細片を備え、前記方法は、前記解除可能な閉鎖細片を閉鎖するステップを含む、請求項３５に記載の方法。
【請求項３７】
前記構造は車両を含む、請求項２４から３６までのいずれかに記載の方法。
【請求項３８】
構造にフレームによって取り付けた広告パネルを交換する方法であり、前記フレームは、第１固定具を取り付けた複数のフレーム部材を備え、前記方法は、
少なくとも１つのフレーム部材と取り付けられた第１固定具とを、前記構造に取り付けた第２固定具から剥離するステップと、
全てのフレーム部材を前記もとの広告パネルから係合解除するステップと、
前記フレーム部材を前記交換用広告パネルと再係合させるステップと、
前記第１固定具と第２固定具を第１場所において係合させるために、前記第１場所に圧力を印加することで、前記剥離したフレーム部材を前記構造に再度取り付け、かつ前記固定具のより大きな割合の部分を連続的に係合するために、前記固定具の長さに沿って前記圧力を伝播させるステップとを含む、方法。
【請求項３９】
前記方法の最中に、少なくとも１つのフレーム部材が前記構造に取り付けられた状態で維持される、請求項３８に記載の方法。
【請求項４０】
前記方法の最中に、１つのフレーム部材のみが前記構造に取り付けられた状態で維持される、請求項３８または３９に記載の方法。
【請求項４１】
広告シート用の縁細片であって、前記細片は、
フレーム部材と係合するためのフレーム係合部分は、すき間付きの細長いトラック部材を備え、前記フレーム係合部分は、
突起と、
前記広告シートに結合するためのフランジとを備え、
前記フレーム係合部分の摩擦係数は前記フランジの摩擦係数よりも低い、縁細片。
【請求項４２】
広告シート用の細片であって、前記細片は、
すき間付きの細長いトラック部材を備えたフレーム部材に係合するためのフレーム係合部分を備え、前記フレーム係合部分は突起を備えており、
前記広告シートに結合するためのフランジと、
前記フレーム係合部分と前記フランジとの間に設けられた引張手段とを備え、縁細片。
【請求項４３】
前記フレーム係合部分と前記フランジは単体の押し出し成形部分として形成される、請求項４１または４２に記載の縁細片。
【請求項４４】
引張手段をさらに含む、請求項４１から４３までのいずれかに記載の縁細片。
【請求項４５】
前記引張手段は、前記フレーム係合部分と前記フランジとの間に配置された弾性部分を備える、請求項４４に記載の縁細片。
【請求項４６】
前記弾性部分は、伸張時に、元の形状に強制的に戻る中空シリンダを備える、請求項４５に記載の縁細片。
【請求項４７】
前記引張手段は、前記フレーム係合部分と前記フランジとの間の距離を短縮する手段を備える、請求項４４に記載の縁細片。
【請求項４８】
前記フレーム係合部分と前記フランジとの間の距離を短縮する手段は、前記フレーム係合部分と前記フランジとの間に配置された解除可能な閉鎖細片を備える、請求項４７に記載の縁細片。
【請求項４９】
前記解除可能な閉鎖細片は、内部係合構成部を有する２つの細片部材を備える、請求項４８に記載の広告システム。
【請求項５０】
広告パネル組み立て品であって、
広告パネルは、前記シートの少なくとも１つの縁に結合されている、請求項４１から４９までに記載の広告シートと縁細片と、
すき間付きの細長いトラック部材を備えたフレーム部材とを備え、
前記フレーム係合部分の突起が前記フレーム部材内で摺動できるように、前記縁細片の前記フレーム係合部分は、前記フレーム部材と協働する形状に形成されている、広告パネル組み立て品。
【請求項５１】
前記フレーム部材は、構造に着脱可能に取り付けるための固定手段を有する、請求項５０に記載の広告パネル組み立て品。
【請求項５２】
前記フレーム部材は、前記フレーム部材を、取り付けられている構造から剥離動作によって分離できるように柔軟である、請求項５１に記載の広告パネル組み立て品。
【請求項５３】
広告シートを構造に取り付ける方法であって、前記方法は、
すき間付きの細長いトラック部材を備えたフレーム部材を前記構造に取り付けるステップと、
請求項４１から４９までのいずれかに記載の縁細片を広告シートに結合するステップと、
前記縁細片の突起を前記フレーム部材の凹部内に挿入するステップとを含む方法。
【請求項５４】
前記縁細片は、請求項４７から４９までのいずれかに記載の縁細片であり、前記方法は、前記縁細片の突起が前記フレーム部材の凹部と係合した後に、前記フレーム係合部分と前記フランジとの間の前記距離を短縮するために、前記引張手段を作動させることで前記広告パネルを引張するステップを含む、請求項５３に記載の方法。
【発明の詳細な説明】
【技術分野】
【０００１】
本発明は、広告パネル用の柔軟なフレームに関し、このフレームは、特に車両に取り付けるための、しかしこの目的に限定されない、相互係合可能な固定手段を有する。本発明は、広告シート用の縁細片にも関する。
【背景技術】
【０００２】
印刷したビニルパネルを取り付けボードに永久的に結合させて広告パネルを作成する方法が知られている。車両の場合には、一般的に、取り付けボードは、車両に搭載したフレーム内に滑入した補強ダンボールボード（例えばコーレックスボード（ｃｏｒｅｘ  ｂｏａｒｄ））を備えている。広告を変更する必要がある場合には、まずビニルパネルを取り外す必要がある。寒い天候では、ビニルが脆くなり破損してしまうため、取り外しが困難となり時間がかかる。
【発明の開示】
【発明が解決しようとする課題】
【０００３】
車体が長い車両の場合には（例えばバス）、広告パネルが車両の長さの大きな割合にわたり、約５乃至１０メートルの長さとなる。これほどに長い広告パネル／支持ボードを作成するのは実用的でないため、一般的には、５つまたはそれ以上の部分で構成される。これはつまり、隣接した各部分どうしの間に望ましくない垂直線が見えてしまい、イメージを壊してしまうことを意味する。隣接した各部分どうしの間にプラスチックのＴ字型カバーを貼り付ければ、すき間が被覆され、各部分が正確な間隔で配置される。しかし、このＴ字型カバーが破損すると変色するため、広告パネルの外観が損なわれる。
【課題を解決するための手段】
【０００４】
本発明の第１の態様によれば、
広告パネルを構造上に取り付けるためのフレームを備え、フレームは少なくとも１つのフレーム部材を備えており、
第１固定具と第２固定具を備えた相互係合可能な固定手段をさらに備え、第２固定具は構造に固定可能であり、
第１固定具はフレームの柔軟な部分上に設けられ、フレームの柔軟性と、第１固定具と第２固定具の相互係合強度とは、フレームと第１固定具を剥離動作によって第２固定具から分離できるものであり、
フレームは広告パネルに解除可能に係合するよう適合されている広告システムが得られる。
【０００５】
広告パネルに「解除可能に係合する」ように適合されたフレームとは、広告パネルに永久的に固定されたフレーム、または広告パネルの一部を備えたフレームとは異なり、広告パネルとフレームを繰り返し係合および係合解除することが可能なことを意味する。
任意で、１つ以上のフレーム部材が設けられる。また任意で、それぞれのフレーム部材は広告パネルの各縁を設けており、フレーム部材の長さはこれに対応する縁の長さとほぼ同じである。
フレームの柔軟な部分はフランジを備えていることが好ましい。
いくつかの実施形態では、フレームは全体的に少なくともいくらかの柔軟性を有する。このような実施形態は平坦でない面への搭載が可能であり、例えば、オイルタンカーのようなタンカーの湾曲した外面や、その他の円筒形の面／湾曲面上に搭載することができる。
【０００６】
１つの、または各フレーム部材は、広告パネルの縁を受容するように適合されており、かつフレーム部材の柔軟な部分よりも硬質なパネル受容部分を有することが好ましい。一般的に、フレームの柔軟な部分とパネル受容部分は異なる材料から成る。パネル受容部分がより硬ければ、パネルがフレーム部材から誤って外れてしまうことを防止する助けとなる。
パネル受容部分は完全に硬質ではなく、フレーム部材の固定具部分を撓ませると多少屈曲する程度の柔軟性を有することが好ましい。フレームが全体にいくらかの柔軟性を有していれば、湾曲面上、例えばタンカーの凸状面上に搭載することができる。また、凹状面への搭載も可能である。
【０００７】
任意で、フレームはポリ塩化ビニル（ＰＶＣ）を含む。
任意で、フレームは熱可塑性エラストマを含む。
任意で、フレームは、高分子量ＰＶＣ樹脂に基づいた熱可塑性エラストマであるＳｕｎｐｒｅｎｅ（商標）を含む。
任意で、フレームは熱プラスチック、または熱プラスチックと似た特性を持つ材料を含む。
フレームは、相互に結合された柔軟性の異なる２つの部分を備えており、これらの一方は、フレームの固定具部分用の比較的柔軟性の高いタイプであり、もう一方は、パネル受容部分用の柔軟性のより低いタイプであることが好ましい。
【０００８】
任意で、フレーム部材は、広告パネル縁上の突起を受容するための凹部を有する。フレーム部材は細長いすき間を有し、このすき間は、内部に突起を保持できるよう十分小さく設けられ、さらに、広告パネルの平坦部分が内部を通って延びることができる十分な大きさを有することが好ましい。また、凹部内に突起を挿入できるよう、フレーム部材の少なくとも一端は開放していることが好ましい。
フレーム部材はトラック部材を備えていることが好ましい。
相互係合可能な固定手段は機械的な固定具を備えていることが好ましい。この機械的な固定具は、永久係合ではなく、解除可能に係合できることが好ましい。機械的な固定具は、第１固定具と第２固定具を共に押圧することで係合し、これらの固定具を引き離すことで係合解除することが好ましい。
【０００９】
このような実施形態では、第１固定具がフレームの柔軟な部分上に設けられているので、第１固定具と第２固定具を係合および係合解除する際にフレームが屈曲することができる。これにより、固定具の長さ全体にわたって同時に力を付与する必要がないという利点が得られる。固定具の長さ全体ではなく、第１場所の比較的小さい領域に力を付与することで、この第１場所で固定具を係合させることができる。フレームの撓みによって力が小さい領域に作用することができるので、比較的小さい力で閾値係合圧力を作り出すことが可能である。好ましい実施形態では、この力を、複雑な装置を用いずに、１人の人物が手作業で付与することができる。次に、この力が固定具の長さに沿って伝播されることによってより多くの固定具が連続的に係合でき、好ましくは、最終的に固定具の長さ全てにわたって係合する。第１固定具と第２固定具の係合を解除する際、フレームの柔軟性のために、フレームと第１固定具を剥離作用によって第２固定具から分離することができる。
【００１０】
第１固定具と第２固定具は、これらを押圧して係合させる際に相互連結するマッシュルーム型のかえしを有することが好ましい。また、マッシュルーム型のかえしは列と行に配列され、第１固定具と第２固定具の一方ではこの行と列が直線を形成しており、他方の固定具では、各行と列のマッシュルーム型のかえしが隣接するかえしに対してずらして配置されていることが好ましい。相互に係合可能な固定手段は３Ｍ（商標）社製のＤｕａｌ  Ｌｏｃｋ（商標）システムを備えていることが好ましい。
本発明の第２の態様によれば、構造上にフレームを搭載する方法が得られ、フレームは、広告パネルと解除可能に係合するのに適しており、この方法は、
第１の細長い固定具をフレームの柔軟な部分に固定するステップを含み、
第２の細長い固定具を構造に固定するステップをさらに含み、第２固定具は第１固定具と係合可能であり、
第１固定具と第２固定具を第１場所にて係合させるために、第１場所に圧力を印加し、また、固定具のより大きな割合の部分を連続的に係合させるために、圧力を固定具の長さに沿って伝播させるステップをさらに含んでいる。
【００１１】
一般的に、圧力はローラを使用して伝播される。
このような実施形態には、一人の人物が構造上にフレームを搭載できるという利点がある。フレームは、所望時に分解できるように、取り外し可能に構造上に搭載されることが好ましい。いくつかの実施形態では、フレームは、必要な回数だけ、容易に搭載でき、また簡単に取り外すことができる。このようなフレームを使用して広告パネルを搭載することにより、広告を変更する際に、広告パネルを別のパネルに非常に簡単に交換できるようになる。
フレーム部材はパネル受容部分を設けており、この方法はさらに、フレーム内に広告パネルを挿入するステップを含んでいることが好ましい。
【００１２】
一般的に、広告パネルは広告シートと、広告シートの縁に取り付けた突起とを備えており、フレームは細長い凹部と開放端部とを有する少なくとも１つのフレーム部材を備えており、上記方法は、フレーム部材を広告パネルに取り付けるために、突起を開放端部から凹部内にねじ込むステップを含んでいる。
任意で、フレームは複数のフレーム部材を備えており、それぞれのフレーム部材は、広告用パネルの各縁への取り付けのために設けられている。
任意で、フレームは複数のフレーム部材を備えており、少なくとも１つのフレーム部材が、広告パネル縁に取り付けられる前に、構造上に搭載される。あるいは、フレームは複数のフレーム部材を備えており、少なくとも１つのフレーム部材が、構造上に搭載される前に、広告パネルに取り付けられる。広告パネル縁をフレーム部材にその一端からねじ込まなければならない場合にも、これら両方の方法を組み合わせて用いれば、パネルの全ての縁を構造上に搭載することができる。
【００１３】
この方法は任意で、１つまたは複数のフレーム部材を構造上に搭載してこれ以外のフレーム部材を広告パネルに取り付けるステップと、広告パネルを搭載されているフレーム部材（１つまたは複数）に取り付けるステップと、その後、上記これ以外のフレーム部材を構造上に取り付けるステップとを連続して含んでいてもよい。あるいは、フレーム部材のいずれかを構造上に搭載する前に、全てのフレーム部材を広告パネルに取り付けることもできる。
任意で、第１フレーム部材のみを、広告パネルに取り付ける前に構造上に搭載できる。
一般的にこの方法は、第１フレーム部材を構造上に搭載するステップと、
広告パネルの１つの縁を第１フレーム部材に取り付け、広告パネルの１つの縁の反対側の縁を第２フレーム部材に取り付けるステップと、
第２フレーム部材を構造上に搭載するステップとを連続して含んでいる。
【００１４】
一般的にこの方法は、第２フレーム部材を構造上に搭載する前に、広告パネルを引張するステップをさらに含んでいる。
あるいは、この広告パネルはさらに、突起と広告シートの縁との間に配置された引張手段を備え、上記方法は、広告パネルをフレーム部材に取り付けた後に、突起と広告シートの縁との間の距離を短縮するべく引張手段を作動させることで広告シートを引張するステップを含んでいる。任意で、この引張手段は、内部係合構成部を有する解除可能な閉鎖細片を備えており、上記方法は、解除可能な閉鎖細片を閉鎖するステップを含んでいる。
広告パネルを引張することにより、搭載された広告パネルがたるむことがなくなる。これらの方法により、広告パネルをより容易に搭載することが可能になり、この搭載時に、広告パネルを１つ以上の既に搭載されているフレーム部材と同時係合させる必要がなく、また、２つの既に搭載されたフレーム部材を同時係合させると同時に、広告パネルをぴんと引っ張る必要がない。
【００１５】
任意でこの方法は、広告パネルの上記以外の縁に各々別の対応するフレーム部材を取り付けるステップと、その後、これらの別のフレーム部材を構造上に搭載するステップとをさらに含む。
任意で、構造は、例えばバス、ローリー、自動車、バン、バイク、タンカーのような車両を含むが、しかし、これらは単に例証であり、本発明は車両、またはいかなる特定タイプの車両にも限定されない。
任意で、フレームは、構造の湾曲した表面、例えばオイルタンカーの湾曲した外面上に搭載される。
【００１６】
任意で、広告パネルは矩形であるが、本発明はいかなる特定の広告パネル形状にも限定されない。
あるいは、広告パネルはＴ字型であり、Ｔ字型形状の各縁に１つのフレーム部材を設けていてもよい。
本発明の第３の態様によれば、広告パネルを構造上に搭載する方法が得られ、この方法は、
広告パネルの第１縁を、構造に取り付けた第１フレーム部材のすき間付きトラックに係合させるステップと、
広告パネルの第２縁を、構造に取り付けられていない第２フレーム部材のすき間付きトラックと係合させるステップと、
第２フレーム部材の柔軟な部分に固定された第１の細長い固定具を、構造に固定された第２の細長い固定具に係合させるステップと、
第１場所に圧力を印加することで、この第１場所において第１固定具と第２固定具を係合させ、また、圧力を固定具の長さに沿って伝播させることで、固定具のより大きな割合の部分と連続的に係合させるステップとを含んでいる。
【００１７】
好ましい実施形態で用いている柔軟な部分を設けたフレームとは、固定具を比較的弱い力によって（例えば手で）係合および係合解除できることを意味する。これは、係合時にはハンマーで打ちつける必要があり、係合解除時には金てこの使用が必要となる、機械的な固定手段を設けた硬質のフレームと比較して顕著な利点である。
本発明の第４の態様によれば、構造にフレームによって取り付けた広告パネルを交換する方法が得られ、上記フレームは、第１固定具を取り付けた複数のフレーム部材を備えており、この方法は、
少なくとも１つのフレーム部材と取り付けられた第１固定具とを、構造に取り付けた第２固定具から剥離するステップと、
全てのフレーム部材をもとの広告パネルから係合解除するステップと、
フレーム部材を交換用広告パネルと再係合させるステップと、
第１固定具と第２固定具を第１場所において係合させるために、第１場所に圧力を印加することで、剥離したフレーム部材を構造に再度取り付け、また、より大きな割合の固定具を連続的に係合させるために、固定具の長さに沿って圧力を伝播させるステップとを含んでいる。
【００１８】
一般的には、この方法の実行中に、少なくとも１つのフレーム部材を構造に取り付けたままの状態にする。
この方法の実行中、１つのみのフレームを構造に取り付けたままの状態にすることが好ましい。
本発明の第５の態様によれば広告システムが得られ、この広告システムは、
広告パネルを備え、
広告パネルを構造に取り付けるためのフレームをさらに備え、このフレームは広告パネルと解除可能に係合でき、少なくとも１つのフレーム部材を備えており、
第１固定具と第２固定具を備えた相互係合可能な固定手段をさらに備え、第２固定具は構造に固定可能であり、
第１固定具はフレームの柔軟な部分上に設けられ、フレームの柔軟性と、第１固定具と第２固定具の相互係合強度とは、フレームと第１固定具を剥離動作によって第２固定具から分離できるものである。
【００１９】
このフレームは、本発明の第１の態様に従ったフレームであることが好ましい。
広告パネルは、巻き上げたり、容易に移送できるように柔軟であることが好ましい。
この広告パネルは１枚の合成紙を含むことが好ましい。また、広告パネルはポリエステルマットの上に１枚のビニルを備えていることが好ましい。このような実施形態は、頑丈で、安価に製造でき、例えばスクリーン印刷によって表面上に容易に印刷を施すことができる。あるいは、広告パネルは１枚のメッシュを備えていてよい。広告パネルが非常に大型であったり、高速で移送されて大量の空気流に晒されるいくつかの場合においては、パネルの両側に圧力を均一に配分できるメッシュが有利である。しかし、多くの場合には、非穿孔（非メッシュ）パネルが適切である。本発明は、いかなる特定タイプのパネルにも限定されない。
【００２０】
広告パネルの少なくとも一部は半透明であることが好ましい。このような実施形態は背後から照明することができる。
一般的には、広告パネルは、その少なくとも１つの縁または各縁に沿って、取り付け手段を設けている。一般的には、この取り付け手段は、これと対応する、フレームの凹部と係合する突起を備えている。
この広告パネルは広告シートと、少なくとも１つの縁に沿った突起とを備えていることが好ましい。広告パネルの各縁に突起が設けられていることが最も好ましい。それぞれのフレーム部材は、各パネル縁と係合するように設けられている。
【００２１】
広告パネルはフレーム内に、広告パネル縁上の突起をフレーム部材の凹部に係合させることによって搭載されることが好ましい。フレーム部材は、すき間付きのトラック部材を備えていてよい。フレーム部材は、突起を保持するように十分小さいが、広告パネルの平坦部分が通って延びることができるように十分大きい細長いすき間を設けていることが好ましい。フレーム部材は、突起を凹部内に挿入できるよう、少なくとも一端が開放していることが好ましい。
広告パネルが柔軟であり、すき間付きのトラック／フレーム部材に連結して使用される実施形態では、広告パネルの一部を構造に既に取り付けた状態で、広告パネルを屈曲させてすき間にねじ込むことができる。
【００２２】
任意で、広告パネルは、本発明の第９または第１０の態様の縁細片と、広告シートとを備え、この場合、縁細片は広告シートに結合されている。
本発明の第６の態様によれば、広告システムが得られ、この広告システムは、
広告パネルを構造上に取り付けるためのフレームを備え、フレームは少なくとも１つのトラック部材を備えており、
第１固定具と第２固定具を備えた相互係合可能な固定手段をさらに備え、第２固定具は構造に固定されており、
第１固定具はトラック部材の柔軟な部分上に設けられ、トラック部材の柔軟性と、第１固定具と第２固定具の相互係合強度とは、トラック部材と第１固定具を剥離動作によって第２固定具から分離できるものであり、
トラック部材は、広告パネルの縁を受容して広告パネルを搭載するように適合されている。
【００２３】
本発明の第７の態様によれば、広告システムが得られ、この広告システムは、
構造上の広告パネルに搭載するフレームを備え、このフレームは少なくとも１つのフレーム部材を備えており、
第１および第２相互連結固定具を備えた相互係合可能な固定手段をさらに備え、この第２固定具は構造に固定可能であり、
フレーム部材は、広告パネルと係合するように適合された第１部分と、柔軟であり、第１固定具を固定できる第２部分とを備えており、フレームの柔軟性と、第１固定具と第２固定具の相互係合強度とは、フレームと第１固定具を剥離動作によって第２固定具から分離できるものである。
【００２４】
本発明の第８の態様によれば、広告システムが得られ、この広告システムは、
広告を構造に取り付けるためのフレームを備え、このフレームは少なくとも１つのフレーム部材を備えており、
第１固定具と第２固定具を備えた相互係合可能な固定手段をさらに備え、第２固定具は構造に固定可能であり、
フレームは柔軟な部分とパネル受容部分とを備え、この柔軟な部分は第１材料を含み、パネル受容部分は柔軟性のより低い第２材料を含み、
第１固定具はフレームの柔軟な部分上に設けられており、フレームの柔軟性と、第１固定具と第２固定具の相互係合強度とは、剥離動作によってフレームと第１固定具を第２固定具から分離できるものである。
【００２５】
本発明の第９の態様によれば、広告シート用の縁細片が設けられており、この細片は、
細長いすき間付きのトラック部材を備えたフレーム部材と係合するためのフレーム係合部分を備え、このフレーム係合部分は突起を備えており、
広告シートに結合するためのフランジをさらに備え、
フレーム係合部分はフランジよりも摩擦係数が低い。
フレーム係合部分のより低い摩擦係数によって、フレーム係合部分をすき間付きのトラック部材に対して容易に摺動させることができ、一方で、フランジの比較的高い摩擦によって、フランジを広告シートに容易に固定することができる。
【００２６】
任意で、フレーム係合部分とフランジは２つの異なる材料を含み、フレーム係合部分の材料はフランジの材料よりも摩擦係数が低い。フレーム係合部分は低摩擦プラスチックを含んでいてよく、フランジは摩擦係数がより高い摩擦プラスチックを含んでいてよい。任意で、フレーム係合部分は低摩擦ポリ塩化ビニルを含んでいる。
あるいは、フレーム係合部分とフランジが同じ材料を含み、フレーム係合部分は低摩擦コーティング、例えばＰＴＦＥコーティングで被覆されている。
本発明の第１０の態様を参照して記述されるように、任意で縁細片はさらに、引張手段と、任意で引張手段のさらなる特徴のいずれかとを含んでいる。
【００２７】
本発明の第１０の態様によれば、広告シート用の縁細片を設けており、この細片は、
細長いすき間付きのトラック部材を備えたフレーム部材に係合するためのフレーム係合部分を備え、このフレーム係合部分は突起を備えており、
広告シートに結合するためのフランジをさらに備えており、
フレーム係合部分とフランジとの間に設けられた引張手段をさらに備えている。
この引張手段により、突起がすき間付きのトラック部材内に保持され、広告シートを反対側の縁に固定する際に、広告シートをぴんと張った状態で維持することができる。
引張手段は弾性部分を備えていてよい。一般的には、弾性部分は、伸張時に元の形状へ強制的に戻る実質的に中空のシリンダを備える。
【００２８】
あるいは、引張手段は、フレーム係合部分とフランジとの間の距離を短縮する手段を備える。フレーム係合部分とフランジの間との距離を短縮するこの手段は、フレーム係合部分とフランジとの間に配置された解除可能な閉鎖細片を備えている。任意で、解除可能な閉鎖細片は、相互係合構成部を設けた２つの細片部材を備えている。
任意で、縁細片は広告シートの対向する２つの縁上に設けることができる。また任意で、各縁細片はそれぞれ引張手段を設けている。任意で、それぞれの縁細片は、広告パネルのさらなる縁上に設けることができ、任意数のさらなる縁は引張手段を設けていても、設けていなくてもよい。
【００２９】
任意で、フレーム係合部分はフランジよりも摩擦係数が低く、また任意で、本発明の第９の態様を参照して記述したさらなる特徴のいずれかを備えている。
以下に述べる任意の特徴は、本発明の第９および第１０の態様の両方に組み込むことができる。
一般的に、フレーム係合部分とフランジは１つの押し出し成形部分として形成される。
一般的に、縁細片はプラスチック材料を含んでいる。
一般的に、フレーム係合部分はまた、突起よりも狭い平坦部分を含んでいる。突起がすき間よりも広い場合には、このような実施形態を、突起がトラック内に保持され、平坦部分がすき間を通って延びた状態で、すき間付きトラック部材と共に使用することができる。
【００３０】
本発明の第１１の態様によれば、広告パネル組み立て品が得られ、この広告パネル組み立て品は、
広告シートと、この広告シートの少なくとも１つの縁に結合した、本発明の第９または第１０の態様による縁細片とを備えた広告パネルを備え、
細長いすき間付きトラック部材を備えたフレーム部材をさらに備え、
縁細片のフレーム係合部分は、フレーム係合部分の突起をフレーム部材内で摺動可能にするために、フレーム部材と協働する形状になっている。
任意で、フレーム部材は本発明の第１の態様のフレーム部材を備えている。
【００３１】
任意で、フレーム部材は、フレーム部材を構造に着脱可能に取り付けるための固定手段を備えている。
任意で、フレーム部材は、剥離動作によってフレーム部材を取り付け先の構造から分離できるよう柔軟になっている。
細長いすき間付きトラック部材は、本発明の第１、第５、第６、第７、または第８の態様による柔軟なフレームを備えていてよい。
本発明の第９、第１０、第１１の態様の任意の部分を、本発明の別の態様のいずれかと組み合わせることができる。またこの反対の組み合わせも可能である。したがって、第９、第１０、第１１の態様の縁細片の突起は、先行の態様の実施形態による、広告シートの縁に取り付けた突起／パネル縁上の突起を備えることができる。
【００３２】
本発明の第１２の態様によれば、広告シートを構造に取り付ける方法が得られ、この方法は、
細長いすき間付きトラック部材を備えたフレーム部材を構造に取り付けるステップと、
本発明の第９または第１０の態様による縁細片を広告シートに結合するステップと、
縁細片の突起をフレーム部材の凹部内に挿入するステップとを含んでいる。
任意で、縁細片は、本発明の第９および第１０の態様を参照して記述した引張手段を含み、この方法は、フレーム係合部分とフランジとの間の距離を短縮するために引張手段を作動させることで、縁細片の突起がフレーム部材の凹部内に係合した後に広告パネルを引張するステップを含む。
【００３３】
次に、本発明の実施形態を、以下の図面を参照しながら、例証の方法のみにより説明する。
【発明を実施するための最良の形態】
【００３４】
次に図面を参照すると、図１は、パネル受容部分１２とフランジ１４とを備えたフレーム部材１０を示す。図１の上方面はフレーム部材１０の背面、図１の下方面はフレーム部材１０の前面である。
パネル受容部分１２の断面はＣ字型であり、円形断面とすき間１８を設けた内径１６を備えている。図２に見られるように、フレーム部材１０は細長い形状である。内径１６の端部は開放している。パネル受容部分１２は比較的堅いが完全な硬質ではなく、一般的には高剛性ＰＶＣまたはその他のプラスチック材料から成る。本発明はいかなる特定の材料にも限定されない。
【００３５】
フランジ１４は低剛性ＰＶＣを含むが、例えば柔軟性プラスチックのような他の材料を使用してもよい。フランジ１４は、パネル受容部分１２よりも柔軟性の高い材料で形成されていることが好ましいが、この理由は以降で説明する。フランジ１４の裏面（図１中の上方面）には固定具２０が接着または他の方法で固定されている。固定具２０は相互係合可能な固定手段の一部であり、また、これと協働する固定具は、ここでは図示されていないが、車両の側部のような構造に固定されたベース固定具であってよい。これについては以降で説明する。この実施形態では、相互に係合可能な固定手段は３Ｍ（商標）社製のＤｕａｌ  Ｌｏｃｋ（商標）固定システムを備えているが、これ以外の適切な固定手段の使用も可能である。パネル受容部分１２から最も離れたフランジ端部の一部を切除して形成した溝１９を除き、フランジ１４の奥行きは概して一定である。この溝は、フランジ１４の、固定具２０が位置する面（図１中のフランジ１４の上方面）に設けられている。
【００３６】
固定具２０と、これと協働する固定具とが、機械固定システムを提供する。固定具２０とこれと協働する固定具の両方は、マッシュルーム型のかえしが付いた細片を備えている。図１８に示すように、固定具２０と協働固定具を共に押すと、かえしの頭部どうしが相互に連結して固定具の分離を防止する。各固定具上のかえしは行と列にて配置されている。一方の固定具上ではかえしが各行と各列で整列され、他方の固定具上では、かえしは、その近接するかえしからずらして配置されている。これにより、かえしを相互連結した際により堅固な結合が得られる。
本発明はこのタイプの固定手段に限定されるものではない。
【００３７】
図３、図４は、フレーム部材１０と広告パネル２１の一部を示す。
一般的に、広告パネル２１は例えばプラスチック材料の広告シートを備えている。この広告シートは多孔性のもの（即ちメッシュ）でも、非孔性のものでもよい。広告シートは、片面に印刷を施して広告画像を提供することができる。レーザ印刷またはスクリーン印刷のような、適切な任意の印刷処理を使用できる。非孔性の実施形態は、デジタル印刷が不要なため製造コストはより安価である。
一般的に、パネル２１はポリエステルマットの上に１枚の合成紙、例えばビニルを備えている。このような広告紙は製造が安価で、頑丈であり、また、フレーム内に外装した際に背後から照明できるよう半透明であってよい。あるいは、パネル２１は、ＷＯ  ０３／０６９５９２で説明されているような１枚のメッシュシートを備えている。
【００３８】
広告シートの任意の縁または全ての縁に強化ＰＶＣまたは類似の材料からなる補強細片を結合して、使用時における広告シートの破れまたは伸張を防止することができる。補強細片は、接着剤または超音波溶接を用いて結合できる。細片は、広告シートへの接合を容易にするためにＰＶＣで被覆したポリプロピレンまたはポリエステルスクリムであってよい。細片の厚さは、細片を取り付けた状態でもパネル２１を選択された印刷工程にかけられる厚さにする。一般的には、補強細片は幅５から１５ｃｍの間であり、パネル２１の周辺に延びている。
広告パネル２１（一部分のみを図示）は、その各々の縁の長さに沿って延びた突起２２を有する。
【００３９】
突起２２は断面が円形であり、使用時には内径１６内に受容される（図３を参照）。突起２２の直径は隙間１８の幅よりも大きいため、隙間１８を大幅に変形しない限り、突起２２を内径１６の隙間１８から取り出すことはできない。突起２２は、開放端部からボア１６内に挿入でき、取り出すことができる。
突起が隙間１８を通過してしまう程に隙間１８が大きく変形することのないよう、パネル受容部分１２に適度な硬さの材料を選択することが好ましい。しかし、パネル受容部分１２に或る程度の柔軟性を持たせて、フランジ１４の撓みに応じてパネル受容部分１２も撓めるようにすることが好ましい。
【００４０】
突起２２を、補強細片を取り付けた、または取り付けていないパネル２１の複数の縁に結合する。この結合は、広告パネル２１の縁で突起２２の周囲を被い、糸で縫うか結合してへりを形成するか、または、適切な任意のプラスチック材料の縁細片を取り付け、結合することで行う。熱または接着剤による結合を使用してもよい。突起２２は、コードまたはロープを備えているか、あるいは、へりまたは縁細片内に押し出し加工され保持された可撓性プラスチックまたはゴムを備えている。このコードまたはロープは、へりまたは縁細片の内部を自由に摺動できるようになっていても、あるいはへりもしくは縁細片に拘束または結合されていてもよい。縁細片の材料は補強細片の材料と同じであってよい。突起２２と補強細片は共にケダーを備えていてよい。一般的なケダーは、ポリエステル生地に頑丈なコーティングを施し、固体ＰＶＣ材料のコードに溶接したものである。
【００４１】
別の実施形態では、パネル２１の縁が突起２２の周囲を被っていなくてもよい。そのかわりに、突起は、押し出し成形され、パネル２１に結合された細片を備えることができる。この突起は、パネル２１の縁を受容するＶ字型の延長部分を設けていてよい。一般的にこれらの実施形態において、突起は、上で説明および定義したＳｕｎｐｒｅｎｅ（商標）を含む。
突起２２の好ましい実施形態は、摺動し易く、角を曲げることができる、柔軟性が非常に高く易滑性のトラックへり部分を提供する。
別の実施形態では、補強細片と突起２２を、以下で図２０乃至図２２を参照して説明する縁細片の形状をしたケダーで代用することもできる。
【００４２】
図５は、フレーム部材１０どうしが相互に対して垂直となるように、各端部をＬ字型コネクタ３５の対応するアームに取り付けた状態にある、２つのフレーム部材１０の端部を示す。
図１１乃至図１５にコネクタ３５の様々な図を示す。コネクタの裏面（図１１及び図１３を参照）は、フレーム部材の前面（図４では上方面）と一致する形状になっている。Ｌ字型の外側にあたるコネクタ３５の裏面は平坦で平面な部分３６であり、この平坦な部分３６は、フランジ部分１４の前部を受容するように適合されている。任意でこの裏面に、例えば３Ｍ（商標）社製のＤｕａｌ  Ｌｏｃｋ（商標）のような固定具（図示せず）を取り付けて、コネクタ３５が取り付けられる表面に設けた別の固定具と係合させることもできる。
【００４３】
また、コネクタ３５のＬ字型の内側に沿って、パネル受容部分１２の前半部（図４中の上方半部）を受容するように適合された、湾曲した半円チャネル３７が設けられている。
図５乃至図７は、コネクタ３５に連結したフレーム部材１０を示す。フレーム部材１０はコネクタのアーム、チャネル３７内のパネル受容部分と摺動係合し、フランジが平坦部分３６と当接する。
チャネル３７の内側縁と平坦部分３６の外側縁には、張り出しリップ部４２、４４がそれぞれ設けられ、フレーム部材を適所に保持している。「内側」と「外側」はＬ字型の内部角と外部角に対して定義される。リップ部４４は図８に最良に示されており、リップ部４４はフランジ１４の溝１９と係合する。図９は、Ｃ字型パネル受容部分１２の前半部の端部上に張り出したリップ部４２を示す。
【００４４】
フレーム部材１０どうしは全く接続していなくてもよく、接続する場合でも別の接続方法を用いることも可能であるため、コネクタ３５は本発明の重要な要素でない点に留意すべきである。
次に、図１６乃至図１８を参照しながら、構造５５上への広告パネル２１の搭載について説明する。構造５５は静止構造であるか、車両の一部を形成していてよい。図１７は、搭載する広告パネル２１の一実施形態を示す。このパネル２１は矩形であり、広告シート２３と、広告シート２３の各縁に取り付けられたそれぞれの突起２２とを備えている。
図１６を参照すると、それぞれの「ベース」固定具は、パネル２１の各縁用の構造５５に接着されており、この場合、パネルの高さと幅により規定された場所において、２つのベース固定具５０、５２が水平に、別の２つのベース固定具５４、５６が垂直に接着されている。用語「ベース固定具」は、フランジ１４上の固定具２０が係合できる固定具を意味するべく使用されている。ベース固定具と固定具２０は共に、相互に係合可能な固定手段を備えている。
【００４５】
次に、２つのフレーム部材１０が水平固定具５０、５２に取り付けられており、この段階を図１６に示す。フランジ１４は柔軟であるので、たった１人で、固定具２０をベース固定具５０、５２に、次に説明する方法で係合させることができる。
図１８に示すように、まず固定具２０、５０を共にフランジ１４の一方の端部へ押して、固定具の端部に付いているマッシュルーム型のかえしを相互連結させる。フランジ１４が屈曲し、固定具２０の圧力が印加された部分が下方へ押されて固定具５０と係合するが、固定具２０のこれ以外の部分は係合しない。
次に、圧力がフランジ１４の端部からフランジ１４に沿って伝播することで、さらなるかえしが連続的に係合する。一般的に、これは、下方への圧力を印加されたローラを、フランジ１４の全長にかけて押し進めることで行う。これにより、固定具２０のかえしがローラによって次々と下方へ押し下げられて、固定具５０のかえしと連続的に係合する。図１８では、ローラの移動を矢印Ｆで示す。このステップは、ローラを用いずに、固定具２０、５０を共に手で押圧することでも優れた結果が得られる点に留意すべきである。
【００４６】
フランジ１４が柔軟であることで、固定具２０、５０の特定部分のみを、他の部分が係合していない場合にも係合させることができる。これにより、１人の人物が、フランジ１４の或る特定の場所を押すことで、その他のかえしとは関係なく、その場所のかえしだけを係合させることが可能になる。フランジ１４が硬質であれば、固定具２０、５０を係合させるためにはフランジ１４の全長にかけて同時に圧力を印加しなければならない。これは１人の人物が簡単に行うことはできず、複雑な機械的補助や、複数の人数が同時に作業することが必要となる。
フレームの柔軟性と、第１固定具２０と第２固定具５０の相互係合強度とは、剥離動作によって固定具２０、５０を係合解除できるものである。フレーム部材１０の端部が、固定具５０の平面に対して或る角度で引っ張られると、フレーム部材１０が屈曲し、固定具２０のかえしが固定具５０のかえしから係合解除される。
【００４７】
図１８はフレーム部材１０の長手方向に沿った変形を示しているが、固定具２０、５０の取り付けと取り外しを行うべく、フレーム部材１０を横方向（または長手方向と横方向の組み合わせ）に変形させることも可能である。
上述では固定具５０を具体的に言及したが、固定具５２も全く同じ方法で係合する。
次に、さらに２つのフレーム部材１０がパネル２１の垂直突起２２に取り付けられる。この取り付けは、隙間１８を広告シート２３と整列させ、突起２２を、フレーム部材１０の一端から、内径１６内へとねじ込むことで行う。この結果を図１７に示している。
次に、既に構造５５に取り付けられた水平フレーム部材１０のＣ字型パネル受容部分１２内にパネル２１の水平突起２２をねじ込むことで、広告パネル２１を構造５５に取り付ける。これにより、パネル２１に取り付けた垂直フレーム部材１０のフランジ１４が、構造５５に取り付けた垂直なベース固定部５０、５２と整列する。最終的に、水平固定具５０、５２を対応するフレーム部材１０に取り付けたのと同じ方法で（図１８を参照）、垂直なフレーム部材１０が垂直な固定具５４、５６に取り付けられる。
【００４８】
コネクタ３５を、最終ステップとして隣接のフレーム部材１０に取り付けるか、または、フレーム部材１０を構造５５に取り付ける前に、１つのフレーム部材１０に取り付けることができる。張り出しリップ部４２、４４によってもたらされたフレーム部材１０への取り付けに加え、任意で、コネクタ３５の背面上の固定具を、構造５５に取り付けた固定具と係合させてもよい。
広告パネルを変更するには、上述のステップを逆行させる（即ち、垂直フレーム部材１０をベース固定部５４、５６から引き抜いて、水平突起をパネル受容部分１２から滑らせて出せる、など）。広告パネル２１の突起はパネル受容部分１２内部に滑り入れ、パネル受容部分１２から滑り出すことができるため、広告パネル２１はフレーム部材１０に取り外し可能に係合できると言える。所望であれば、水平フレーム部材１０もベース固定具５０、５２から取り外すことができる。
【００４９】
この方法を用いれば、１人の人物が、広告パネル２１の搭載および取り外しを非常に容易に行うことができる。Ｃ字型のパネル受容部分により、しっかりした搭載が得られる。
相互係合可能な固定手段２０、５０は、どの段階で、各フレーム部材１０が構造５５に取り付けられるかに関連した多数の選択肢を提供する。
別の方法では、フレーム部材１０のいずれかが構造５５に取り付けられる前の４つ全てのフレーム部材１０が、それぞれ対応する突起内に滑入してこれと係合する。この方法では、この段階で、フレーム部材１０を構造５５に取り付ける前に、コネクタ３５をフレーム部材１０と連接することができる。
【００５０】
フレーム部材１０を構造５５に取り外し可能に機械的に固定することで、パネル２１の各縁を、フレーム部材のトラック内部にしっかりと取り付けることが可能になる。これは、フレーム部材１０が構造５５に永久的に固定されている場合には行えない。
図１６、図１７に示したステップの順序は逆行させることもできる点に留意すべきである。さらに、構造５５に最初に取り付けるのは、必ずしも水平フレーム部材１０でなくてもよい（しかし、水平フレーム部材１０を最初に取り付けることで、垂直フレーム部材１０が取り付けられた状態で、広告パネルを上方フレーム部材１０によって支持することができるため、こちらの方が好ましい）。あるいは、パネル２１に取り付ける前の垂直フレーム部材１０を、構造５５に取り付け、また、構造５５に取り付ける前の水平フレーム部材１０を、広告パネル２１に取り付けることもできる。
【００５１】
また別の方法では、１つのフレーム部材１０（例えば上方フレーム部材）のみを対応するベース固定具に最初に取り付けておく。その後に、広告パネル２１を搭載されたフレーム部材１０に取り付け、広告パネル２１の他の縁を別のフレーム部材１０に取り付ける。これらのステップの順序はこの通りでなくてもよい。次に、広告パネル２１を任意で引張し、その後、最初に取り付けたフレーム部材１０（例えば下方フレーム部材）の反対側において、フレーム部材１０をベース固定具によって構造５５に搭載することができる。最後に、残りのフレーム部材１０（例えば側部フレーム部材）を対応するベース部材に取り付けると、全ての側部でのフレームの取り付けが完了する。この方法を用いれば、取り付けた広告パネル２１を、たるまないよう正確に引張することができる。
【００５２】
この方法は、２つの対向したフレーム部材１０が既に／永久的に構造５５に取り付けられている方法と比較して、広告パネル２１の取り付けが容易であるという利点もある。これには２つの理由がある。まず第一に、２つの既に搭載されているフレーム部材１０と同時に係合するのではなく、広告パネル２１を各フレーム部材１０と連続的に係合させることができる。第二に、２つの既に搭載されたフレーム部材１０と同時に係合させるために、広告パネル２１をぴんと引張させる必要がない。代わりに、広告パネル２１の第１縁を、この時点では広告パネル２１に引張を全く付加せずに、搭載されたフレーム部材１０と係合させればよい。したがって、上述の方法により、１人の人物が広告パネル２１を容易に搭載できるようになる。
【００５３】
広告パネル２１を構造５５から取り外す場合は、一般的には、全てのフレーム部材１０を対応するベース部材から剥がす。あるいは、１つまたは２つのフレーム部材１０を構造５５上に搭載したまま残して、広告パネル２１をこれら搭載されているフレーム部材１０との係合から滑り出させる。
或る好ましい方法では、１つのフレーム部材１０だけが構造５５上に搭載されたまま残され、これ以外のフレーム部材１０は剥がされる。取り外す広告パネル２１を、剥がされたフレーム部材１０との係合から滑り出させ、次に、フレーム部材１０を新たな広告パネル２１の３つの縁の上に配置する。新たな広告パネル２１のこれ以外の縁を、搭載したフレーム部材１０と滑入係合させる。一般的に、新たな広告パネル２１は引張され、構造５５に搭載したまま残ったフレーム部材１０の反対側のフレーム部材１０が、対応するベース部材に取り付けられ、これにより新たな広告パネル２１がぴんと引張される。この方法のこれ以外の部分は上述したものと同様である。
【００５４】
本発明は矩形の広告パネルに限定されるものではない。例えば、バスの場合には、広告パネルは典型的に図１９に示すＴ字型である。
図１９は、Ｔ字型の広告パネル６２を設けたバス６０を示す。パネル６２の好ましい実施形態は柔軟であり、非使用時には巻き上げることができる。この広告パネル６２は、垂直幹部６３と水平枝部６５を備えている。水平枝部６５に３つの水平縁６４、６６Ａ、６６Ｂが設けられ、垂直幹部６３の底部に第４の水平縁が設けられている。水平枝部には２つの垂直縁７０、７２が、垂直幹部６３には別の２つの垂直縁７４、７６が設けられている。
【００５５】
形状の違いを除き、広告パネル６２はパネル２１と同じであり、各縁に突起が付いた広告シートも備えている。
Ｔ字型の広告パネル６２は構造（この例ではバス６０）に、矩形の広告パネル２１の取り付け方法と同じ方法で取り付けられる。ここでも、広告パネル６２の各縁に１つのフレーム部材１０が提供される。
まず、パネル６２の縁の所望の取り付け場所に対応した場所において、ベース固定具が取り付けられる（例えばバスに接着される）。次に、図１８に示すように、フレーム部材１０が、縁６４、６６Ａ、６６Ｂ、７４、７６に対応したベース固定具に係合される（例えば手またはローラによってフレーム部材全長に沿ってかえしを押圧し、係合させる）。この段階で、任意で、残りのフレーム部材１０をパネル６２の縁６８、７０、７２に設けられた対応する突起上で螺着してもよいが、これは後に行ってもよい。
【００５６】
次に、水平枝部６５の水平縁６４、６６Ａ、６６Ｂの突起を、これに対応する、バス６０に取り付けられたフレーム部材の内径内部にねじ込む。その後、垂直幹部６３を持ち上げ、屈曲させることで、幹部の垂直縁７４、７６の突起を、対応するフレーム部材１０の内径端部と整列させる。最終的に垂直幹部６３がバスに対して平坦に配置されるように、突起を内径全長にわたってねじ込む。このステップは、縁６８、７０、７２において突起が対応するフレーム部材１０とまだ係合していない場合にはこの段階で行われる。最終ステップで、縁６８、７０、７２のフレーム部材（広告パネル６２に取り付けられる）が対応するベース固定具と係合される。
【００５７】
上述の方法は、フレームの柔軟性を利用して固定具と係合させ、さらに、広告パネル６２の柔軟性を利用して、垂直幹部６３を屈曲させることで、垂直縁７４、７６を対応するフレーム部材１０内部へねじ込ませることができる。
本発明のいくつかの実施形態は、広告パネルを容易に設置、取り外し、変更できる広告システムを提供する。好ましい実施形態では、フレームを構造から取り外すことができる。いくつかの実施形態では、構造に取り付けた、比較的薄型の邪魔にならない設計の固定具を使用して、フレームを構造に取り付ける。これらの実施形態では、構造に大型でかさばるフレーム／トラックシステムを溶接するための公知の方法と違い、構造自体を大幅に変更する必要がない。
【００５８】
図２０に、本発明の別の実施形態を示す。この図は、広告シート用の縁細片１００を示している。縁細片１００は広告シート１２３の縁に結合され、また、細長いすき間付きのトラック部材を備えるフレーム部材と係合している。この実施形態では、フレーム部材は図１のフレーム部材１０を備えているが、しかし、他の実施形態では、フレーム部材は細長いすき間付きの任意のトラック部材であってよい。広告シート１２３と少なくとも１つの縁細片１００とが広告パネル１２１を形成する。
縁細片１００は、フレーム係合部分１０２とフランジ１０３を備えている。フレーム係合部分１０２は、突起１０４と平坦部分１０６を備えている。フレーム係合部分１０２はフレーム部材１０と協働し、突起１０４は実質的に円筒形であり、フレーム部材１０の内径１６内部に合致するように寸法取りされている。平坦部分１０６はフレーム部材１０のすき間１８を通って延びている。
【００５９】
フレーム係合部分１０２は低摩擦プラスチックを含み、フランジ１０３は比較的高摩擦のプラスチックを含んでいる。フレーム係合部分１０２の摩擦係数が低いために、フレーム係合部分１０２をフレーム部材１０に対して容易に摺動させることができる。突起１０４と平坦部分１０６の両方は低摩擦材料で形成されているため、それぞれ内径１６とすき間１８の内部を容易に摺動することができる。フランジ１０３の比較的高い摩擦性によって、フランジ１０３を広告シート１２３に容易に固定することが可能になる。
別の実施形態では、フレーム係合部分１０２は、低摩擦コーティング（例えばＰＴＦＥコーティング）の形で低摩擦材料を含み、一方、フランジ１０３はこのようなコーティングを備えていない。
【００６０】
一般的に、フレーム係合部分１０２とフランジ１０３は１回の押し出し成形によって一緒に形成される。
縁細片１００はフランジ１０３において広告シート１２３と結合している。この結合は、一般的に例えば高周波溶接や熱溶接のような溶接部分を含んでいる。しかし、縁細片１００は、これ以外の任意の手段によって広告シート１２３に溶接、結合、固定することができる。
使用時に、フレーム部材１０は構造に取り付けられ、縁細片１００は広告シート１２３の１つの縁に結合され、縁細片１００の突起１０４はフレーム部材１０の内径１６内部に挿入される。広告シート１２３の対向するもう１つの縁に別の縁細片１００を結合し、任意で、別のフレーム部材１０を構造に取り付ける前に、この対向するもう１つの縁を該別のフレーム部材１０内に挿入することができる。一般的にこの方法は、別のフレーム部材および縁細片を使用して、任意で第１縁と同じ方法で、広告シート１２３の他の縁を構造に固定するステップを含む。
【００６１】
図２１、図２２に、縁細片１５０のさらなる実施形態を示す。
図２０の実施形態と同様に、縁細片１５０はフレーム係合部分１５２とフランジ１５３を備えており、フレーム係合部分１５２は突起１５４を備えている。これらの構成部品は図２０の実施形態の構成部品と類似しており、同じ目的で機能するが、縁細片１５０には図２０の特徴のいずれかを採用しても、採用しなくてもよい。特に、図２０の実施形態に関連して説明したように、フレーム係合部分１５２は低摩擦材料と、これに関連する任意選択的な特徴とを備えることができる。
しかし、図２１の実施形態は、フレーム係合部分１５２とフランジ１５３との間に設けられる引張手段１５８をさらに含んでいる点で異なる。引張手段１５８は弾性部分１６０を備えている。
【００６２】
弾性部分１６０は、図２１に示す非引張状態において、中空で実質的に円筒形部分を備える。
使用時には、すき間付きの細長いトラック部材（この例ではフレーム部材１０を備えている）を備えたフレーム部材が構造に取り付けられる。縁細片１５０はフランジ１５３にて広告シート１６３に結合されて、広告パネル１６１が形成される。次に、突起１５４がフレーム部材１０の内径１６内に挿入される。
広告シート１６３を引張するには、広告シート１６３を引いて突起１５４をすき間１８の縁に当接させて、これにより弾性部分１６０の断面を図２１に示す円形から図２２に示す引張状態にある楕円形に変形させる。
【００６３】
任意で、弾性部分１６０は最大で１０ｍｍ伸張するが、別の実施形態では最大伸張を変えることができる。
次に、広告シート１６３の反対側の縁が構造に固定される一方で、広告シート１６３が引張状態に維持される。
任意で、広告シート１６３のこの反対側の縁を、別の縁細片１５０と第２フレーム部材１０を使用し、第１縁と同じ方法によって構造に固定することもできる。このような場合には、別の弾性部分によってさらに１０ｍｍの最大伸張が得られる。一般的には、別のフレーム部材１０を構造に取り付ける前に、この別の縁細片１５０を該別のフレーム部材１０と係合させる。あるいは、広告シート１６３の反対側の縁を、弾性手段を全く備えていない任意の他の手段によって構造に取り付けてもよい。
【００６４】
広告シート１６３の反対側の縁を構造に取り付けると、弾性部分１６０が図２１に示す元の形状に戻ろうとすることで広告シート１６３が引張状態に維持される。故に、引張手段１５８が広告シート１６３を引張するべく機能する。
任意で、広告シート１６３のこれ以外の全ての縁も、同様の方法で構造に固定することができる。一般的に、任意の別のフレーム部材１０は、構造に取り付ける前に、広告パネル１６１と係合させられている。
縁細片１７０のさらに別の実施形態を図２３、図２４に示す。
図２０乃至図２２の実施形態と同様に、縁細片１７０はフレーム係合部分１７２とフランジ１７３とを備えており、フレーム係合部分１７２は突起１７４を備えている。図２３、図２４では、突起１７４はソリッドシリンダを備えているが、あるいは図２０乃至図２２に示すように中空シリンダを備えていてもよい。これらの構成部品は、図２０乃至図２２の実施形態の構成部品と類似し、同じ目的で機能し、図２０乃至図２２の実施形態のどの特徴も縁細片１７０に採用してもよいし、しなくてもよい。図２０の実施形態を参照して説明したように、特に任意で、フレーム係合部分１７２は低摩擦材料と、これに関連するいかなる任意の特徴をも備えている。
【００６５】
図２１、図２２の実施形態と同様に、縁細片１７０はフレーム係合部分１７２とフランジ１７３との間に引張手段１７８を備えている。
しかし、この縁細片１７０は、引張手段１７８がフレーム係合部分１７２とフランジ１７３との間の距離を短縮する手段を備えているという点で異なっている。上記距離を短縮する手段は解除可能な閉鎖細片を備えている。この解除可能な閉鎖細片は、突起１７４と平行に配置された２つの細長い細片部材１８０、１８２を備えており、この細片部材１８０はフレーム係合部分１７２に直接連接しており、もう一方の細片部材１８２はフランジ１７３に直接連接している。細片部材１８０、１８２は、協働する内部係合構成部１８０ｆ、１８２ｆを設けている。構成部１８０ｆは突起を備え、構成部１８２ｆは突起に対応する凹部を備えている。凹部構成部１８２ｆは、突起構成部１８０ｆの最も幅広い部分よりも狭いネック部を設けている。
【００６６】
引張手段はまた、細片部材１８０と１８２とを連接させる柔軟な連結部分１８４を含んでいる。柔軟な連結部分１８４は、屈曲および折り畳みできるように柔軟である。
図２３に示す非引張状態では、細片１８０、１８２は開放位置にあり、構成部１８０ｆ、１８２ｆは係合していない。柔軟な連結部分１８４によって、細片部材１８０と１８２が、柔軟な連結部分１８４の長さによって許容される範囲内、一般的には約１０ｍｍ以内で、互いに接近したり離間したりする。
使用時には、先に縁細片１００、１５０に関連して説明したように、少なくとも１つの縁細片１７０が広告シート１８３の縁に取り付けられ、構造上の対応するフレーム部材と係合する。その一方で、縁細片１７０は図２３の非引張状態にてフレーム部材と係合していなければならない。一般的に、別の縁細片１７０が広告シート１８３の反対側の縁に取り付けられ、別の縁細片１７０も構造上のこれと対応するフレーム部材と係合する。この別の縁細片１７０も、フレーム部材との係合時には図２３の非引張状態になくてはならない。
【００６７】
縁細片１７０を広告シート１８３の対向する両縁に使用する場合には、広告シート１８３と、縁細片１７０と、フレーム部材どうしの相対的な空間とで形成される広告パネルの寸法を、取り付けた広告シート１８３が約２０ｍｍの弛み（各々の柔軟な連結部分１８４が１０ｍｍずつ提供）を有するように配置する。
広告シート１８３を引張するには、１つの縁細片１７０のうち細片部材１８０、１８２を、この縁細片１７０の一端において、構成部１８０ｆ（突起）が構成部１８２ｆ（凹部）と係合するように共に押圧する。協働する構成部１８０ｆ、１８２ｆの形状、特に構成部１８２ｆの細いネック部によって、構成部１８０ｆが構成部１８２ｆ内に保持される。次に、構成部１８０ｆ全体（突起）が構成部１８２ｆ（凹部）内に閉じ込められるまで、圧力が縁細片の長さに沿って伝播される。この閉じ込めにより、細片部材１８０、１８２が、図２４に示すように閉鎖位置、即ち引張状態において互いに密接に保持される。他の縁細片１７０（広告シート１８３の反対側の縁に設けられているもの）にも同じ工程を繰り返す。
【００６８】
図２４の引張状態において示しているように、柔軟な連結部分１８４は、細片部材１８０、１８２を接近させるために屈曲され折り畳まれている。各縁細片１７０の全体高さが、ほぼ柔軟な連結部分１８４の長さだけ短縮される（例えば約１０ｍｍ）。そのため、引張前の広告シート１８３には２０ｍｍの弛みがあるため、引張後の広告シート１８３はフレーム部材内でぴんと張られて引張した状態に維持される。
フレーム係合部分１７２とフランジ１７３との間の距離は、解除可能な閉鎖細片を閉鎖することで短縮できることが理解される。
一般的にこの方法は、任意で別の縁細片１００、１５０、１７０の手段により、広告シート１８３の他の縁を構造に固定するステップを含む。
【００６９】
縁細片１００、１５０、１７０は、それぞれ対応するフレーム部材１０と共に使用できるが、これに限定されるものではなく、あらゆる細長いすき間付きトラック部材と共に使用することが可能である。この方法は、本発明の任意の実施形態に関連して本書において説明および請求しているいかなる方法ステップをも含むことができる。
縁細片１００、１５０、１７０は、任意でケダーを備える。
本発明の範囲から逸脱することなく、変形および改良を組み入れることが可能である。
例えば、図１乃至図１９に関するこれらの方法ステップの全てを上述の順序で実施する必要はない。例えば、別の方法では、フレーム部材のいずれかを対応するベース部材に取り付ける前に、より多くのまたは全てのフレーム部材をパネル６２の全ての縁に係合させる。この場合、広告パネル６２は柔軟である必要はない。
【００７０】
水平突起を縁６４、６６Ａ、６６Ｂのフレーム部材内にねじ込む前に、パネル縁７４、７６に対応したフレーム部材をバスに取り付けておく必要はない。この場合には、このステップの直後にフレーム部材７４、７６をバスに取り付け、その後、これ以降の方法ステップを上述のとおりに実施することができる。あるいは、この時点でパネル縁７４、７６、６８を対応するフレーム部材１０に取り付け、その後、対応するベース固定具と係合させることもできる。
或る方法では、頂部縁６４に対応したフレーム部材のみをベース部材に取り付けた後に、パネル６２の最上突起がこのフレーム部材に受容されるようにしている。頂部フレーム部材はパネル６２の重量を支持することができる一方で、他の固定具は対応するベース固定具およびパネル６２に任意の適切な順序で固定される。これにより、所望の場合に、他のフレーム部材をバス６０上に搭載する前に、広告パネル６２を任意で引張することが可能になるため、広告パネル６２をぴんと引いて、緩まないようにすることができる。一般的にこの方法では、パネル縁６６Ａ、６６Ｂのフレーム部材は２番目に搭載されるが、これは、これらの縁が頂部縁６４の反対側に位置しているためである。
【００７１】
上述の変更は、図１６、図１７の矩形の実施形態にも当てはまる。
本発明により、パネル６２を、従来の５つまたはより多くのバスパネル部分ではなく、一体型の単体部品として作製することが可能になる。
広告パネルは柔軟または硬質であってよい。
いくつかの実施形態では、フレームを、構造の凹部と係合する、フレーム上に設けた突起の手段によって構造に取り付けることができ、例えば、凹部付近において構造に細長いすき間を設けることができる。このすき間の端部は、フレーム上の突起をねじ込むことができるように開放されている。このすき間は突起よりも狭くなっているため、突起はすき間内部に保持される。
【００７２】
上述したように、例証した実施形態では、相互係合可能な固定手段は、３Ｍ（商標）社製のＤｕａｌ  Ｌｏｃｋ（商標）固定システムを備えているが、これ以外の適切な固定手段の使用も可能である。例えば、固定手段は「フックとループ」タイプの任意の固定具や、または、例えば第１固定具と第２固定具が突起したマッシュルーム型の頭部を持つ任意のマッシュルーム型固定具であってよい。
３Ｍ（商標）社製のＤｕａｌ  Ｌｏｃｋ（商標）、または類似の相互連結機械的固定具を使用する利点は、フレームを構造内にリベットやねじで留める必要がないことである。その代わりに固定具の一部を構造に接着または結合する。
【００７３】
いくつかの実施形態では、第１固定具とフレームを一体に形成している（即ち、単体として形成している）。
図２０乃至図２２の実施形態はフレーム部材１０と共に使用する必要はなく、これらの実施形態は、任意の細長いすき間付きトラック部材と共に使用することができ、この場合、これらの部材が構造に既に固定されているか固定されていないかは関係ない。したがって、フレーム部材１０上の解除可能な固定具２０はこれらの実施形態の必須要素ではない。
さらに、細長いすき間付きトラック部材の断面は図２０、図２２に示すような円形でなくてもよく、楕円形、四角形、三角形の実施形態も有効である。また、突起１０４、１５４、１７４の形状は内径１６の形状と合致しなくてもよい。突起１０４、１５４、１７４は内径１６の内部に嵌り、隙間１８から落下しないよう十分幅広いものでありさえすればよい。
【００７４】
いくつかの実施形態では、広告パネルの全ての縁を構造に取り付ける必要はなく、また全ての縁が取り付けられている場合でも、全てがここで説明した方法で取り付けられている必要はない。本発明には、広告パネルの１つの縁のみが構造に取り付けられる場合も含まれる。
図２３、図２４の実施形態では、広告シートの対向する縁の両方が、引張手段１７８を持つ縁細片１７０を備えている必要はない。あるいは、１対の対向した縁の一方のみが縁細片１７０を備え、もう一方の縁は引張手段を備えていなくてもよい。この場合は、１つの引張手段１７８によってもたらされた弛みによる非引張状態にて、広告パネルを対応するフレーム部材と係合させながら、あたかも２つの縁細片１７０が存在しているかのように広告パネルを引張することができる。
【００７５】
柔軟な連結部分１８４の長さは１０ｍｍでなくてもよく、非引張状態において所望される広告パネルの弛みの量に応じて、また、広告シートの対向した両側の一方の縁細片１７０と共に使用するか、または両方の縁細片１７０と共に使用するか、いずれが意図されるかによって適宜変更することができる。当然ながら、縁細片１７０を両側に使用した場合にはこの２倍の弛みが得られる。
本願明細書中にはこれ以外の変更も説明されている。
【図面の簡単な説明】
【００７６】
【図１】本発明によるフレームの端面図を示す。
【図２】図１のフレームの平面図を示す。
【図３】広告パネルが結合した状態の、図１のフレームの端面図を示す（広告パネルの一部のみを図示）。
【図４】図３のフレームと広告パネルの一部の斜視正面図を示す。
【図５】図１の２つのフレームと、コネクタとの背面図を示す。
【図６】図５の配置の側面図を示すが、この図では、明瞭性の目的で、コネクタの特定の部分を取り除いた状態にしている。
【図７】図６の円Ａで囲んだ部分の拡大図を示す。
【図８】図７の張り出した第１フレームの拡大図を示す。
【図９】図７の張り出した第２フレームの拡大図を示す。
【図１０】図５のコネクタの正面図を示す。
【図１１】図５のコネクタの背面図を示す。
【図１２】図５のコネクタの斜視図を示す。
【図１３】図５のコネクタの斜視図を示す。
【図１４】図５のコネクタの側面図を示す。
【図１５】図５のコネクタの側面図を示す。
【図１６】４つのベース固定具が取り付けられた構造の平面図を示す。４つのベース固定具のうち２つは、対応するフレーム部材に取り付けられている。
【図１７】広告パネルと取り付けられた２つのフレーム部材の平面図を示す。
【図１８】ベース固定具と係合したフレーム部材の側面図を示す。
【図１９】Ｔ字型の広告パネルを取り付けたバスの側面図を示す。
【図２０】図１のフレーム部材に係合した縁細片の側面図を示す。
【図２１】引張状態にない縁細片の別の実施形態の側面図を示す。
【図２２】図１のフレーム部材に係合した図２１の縁細片の側面図を示す。縁細片は引張状態にある。
【図２３】引張状態にない縁細片のさらに別の実施形態の側面図を示す。
【図２４】引張状態にある図２３の縁細片の側面図を示す。
【図１】
2008518259.tif 000003
【図２】
2008518259.tif 000004
【図３】
2008518259.tif 000005
【図４】
2008518259.tif 000006
【図５】
2008518259.tif 000007
【図６】
2008518259.tif 000008
【図７】
2008518259.tif 000009
【図８】
2008518259.tif 000010
【図９】
2008518259.tif 000011
【図１０】
2008518259.tif 000012
【図１１】
2008518259.tif 000013
【図１２】
2008518259.tif 000014
【図１３】
2008518259.tif 000015
【図１４】
2008518259.tif 000016
【図１５】
2008518259.tif 000017
【図１６】
2008518259.tif 000018
【図１７】
2008518259.tif 000019
【図１８】
2008518259.tif 000020
【図１９】
2008518259.tif 000021
【図２０】
2008518259.tif 000022
【図２１】
2008518259.tif 000023
【図２２】
2008518259.tif 000024
【図２３】
2008518259.tif 000025
【図２４】
2008518259.tif 000026
【国際調査報告】
2008518259.tif 000027
2008518259.tif 000028
2008518259.tif 000029